(57)【要約】      （修正有）【課題】展開状態では敷物として使用することができ、折畳み状態では収納ボックスとして使用することができるボックス兼用シートを提供する。【解決手段】シートの中央で直交するＸ軸とＹ軸に関し、Ｘ軸の両側で該Ｘ軸と平行する第１折曲線４と、Ｙ軸の両側で該Ｙ軸と平行する第２折曲線５により囲まれた中央領域により底壁６を形成し、第１折曲線４と第１側縁２の間でシートのコーナ部分により第１側壁７を形成する。さらに、Ｘ軸方向に配置された一対の第１側壁７の間に襠壁８を形成し、第２折曲線５と第２側縁３の間でＹ軸方向に配置された一対の第１側壁７の間に第２側壁１０を形成している。底壁６から第１側壁７と第２側壁１０を起立させたとき、襠壁８が折返し状態で底壁６に重合され、一対の第１側壁７を隣接させる。隣接する一対の第１側壁７は固着手段１３により着脱自在に固着され、収納ボックスを形成する。【選択図】図７
0003170420.tif 000002
【実用新案登録請求の範囲】
【請求項１】
保形性を有するマット状のシートから成り、該シートを展開した状態で敷物を構成し、該シートを折畳んだ状態で収納ボックスを構成するボックス兼用シートであり、
前記シート(1)は、展開状態において、該シートの中央で直交するＸ軸とＹ軸に関し、前記Ｘ軸と平行な一対の第１側縁(2,2)と、前記Ｙ軸と平行な一対の第２側縁(3,3)を有する矩形状に形成され、
前記Ｘ軸の両側で該Ｘ軸と平行してシートを横断する第１折曲線(4,4)と、前記Ｙ軸の両側で該Ｙ軸と平行してシートを横断する第２折曲線(5,5)を備え、前記第１折曲線と第２折曲線により囲まれた中央領域により底壁(6)を形成し、
前記第１折曲線(4)と第１側縁(2)の間に位置して、第１側縁及び第２側縁と第１折曲線及び第２折曲線により囲まれたシートのコーナ部分により第１側壁(7)を形成すると共に、Ｘ軸方向に配置された一対の第１側壁(7,7)の間に襠壁(8)を形成し、
前記第２折曲線(5)と第２側縁(3)の間に位置して、Ｙ軸方向に配置された一対の第１側壁(7,7)の間に第２側壁(10)を形成しており、
前記第２折曲線(5)を折曲することにより底壁(6)から第１側壁(7)と第２側壁(10)を起立させ、前記第１折曲線(4)を折曲することによりＸ軸方向に配置された一対の第１側壁(7,7)を対向させると共に、前記襠壁(8)を折返し状態で底壁(6)の上に重合することにより前記一対の第１側壁(7,7)を隣接させ、隣接する一対の第１側壁(7,7)を固着手段(13)により着脱自在に固着することにより、収納ボックス(1a)を形成するように構成して成ることを特徴とするボックス兼用シート。
【請求項２】
前記襠壁(8)は、Ｙ軸の両側に位置して、第１折曲線(4)と第２折曲線(5)の交点と、Ｙ軸と第１側縁(2)の交点を結ぶ折返し用折曲線(9)を形成しており、該折返し用折曲線を折曲することにより襠壁(8)を折返し状態で底壁(6)に重合するように構成されて成ることを特徴とする請求項１に記載のボックス兼用シート。
【請求項３】
前記固着手段は、収納ボックス(1a)を形成した状態で相互に隣接する一対の第１側壁(7,7)を外側から着脱自在に連結する帯片(13)により構成され、
前記帯片(13)は、底壁(6)の底面に延長される舌片(13a)を備え、該舌片(13a)と底壁(6)を着脱自在に固着するように構成されて成ることを特徴とする請求項１又は２に記載のボックス兼用シート。
【考案の詳細な説明】
【技術分野】
【０００１】
本考案は、展開状態では敷物として使用することができ、折畳み状態では収納ボックスとして使用することができるボックス兼用シートに関する。
【背景技術】
【０００２】
従来、レジャーシートや、プレイマットシート等、屋内の床や、屋外の地面等に敷設して使用されるシートが提供されている。レジャーシートは、例えば、ピクニック等に持参して使用される。プレイマットシートは、例えば、屋内で幼児や児童が玩具で遊ぶために使用される。
【０００３】
ところで、レジャーシートを持参してピクニックに出かける際は、弁当やその他の物品を携行するのが一般的であるから、レジャーシートをボックスとして兼用できるように構成すれば、該ボックスに種々の物品を収納した状態で携行できるので便利となる。
【０００４】
また、プレイマットシートを使用して児童等が玩具等で遊ぶ場合、後片付けとして、散乱した玩具等を所望のボックスに収納することが望ましく、この際、プレイマットシートをボックスとして兼用できるように構成すれば、該ボックスに玩具等を収納することができるので便利となる。
【先行技術文献】
【特許文献】
【０００５】
【特許文献１】特開平９−１６８６７２号公報
【特許文献２】特開２００３−３２５３０２号公報
【考案の概要】
【考案が解決しようとする課題】
【０００６】
従来、マット状のシートを展開状態から折畳むことによりボックスを形成し、反対に、ボックスを展開することによりマット状のシートを形成することができるボックス兼用シートが提案されているが、ボックスを形成した際の保形性や強度について配慮されていない。
【０００７】
特に、上述のような弁当等の種々の物品を収納してピクニックに携行するボックスや、多数の玩具等を収納するためのボックスは、収納物が相当の重量物となるため、持ち上げた際にボックスの底部が崩落する底抜けを生じるおそれがある。
【０００８】
本考案は、シートの折畳みと展開の作業が簡単容易であると共に、シートを折畳むことによりボックスを形成したとき、該ボックスが底抜け等の危険を生じることがないように高強度としたボックス兼用シートを提供することを課題とする。
【課題を解決するための手段】
【０００９】
そこで、本考案が手段として構成したところは、保形性を有するマット状のシートから成り、該シートを展開した状態で敷物を構成し、該シートを折畳んだ状態で収納ボックスを構成するボックス兼用シートであり、前記シートは、展開状態において、該シートの中央で直交するＸ軸とＹ軸に関し、前記Ｘ軸と平行な一対の第１側縁と、前記Ｙ軸と平行な一対の第２側縁を有する矩形状に形成され、前記Ｘ軸の両側で該Ｘ軸と平行してシートを横断する第１折曲線と、前記Ｙ軸の両側で該Ｙ軸と平行してシートを横断する第２折曲線を備え、前記第１折曲線と第２折曲線により囲まれた中央領域により底壁を形成し、前記第１折曲線と第１側縁の間に位置して、第１側縁及び第２側縁と第１折曲線及び第２折曲線により囲まれたシートのコーナ部分により第１側壁を形成すると共に、Ｘ軸方向に配置された一対の第１側壁の間に襠壁を形成し、前記第２折曲線と第２側縁の間に位置して、Ｙ軸方向に配置された一対の第１側壁の間に第２側壁を形成しており、前記第２折曲線を折曲することにより底壁から第１側壁と第２側壁を起立させ、前記第１折曲線を折曲することによりＸ軸方向に配置された一対の第１側壁を対向させると共に、前記襠壁を折返し状態で底壁の上に重合することにより前記一対の第１側壁を隣接させ、隣接する一対の第１側壁を固着手段により着脱自在に固着することにより、収納ボックスを形成するように構成して成る点にある。
【００１０】
前記襠壁は、Ｙ軸の両側に位置して、第１折曲線と第２折曲線の交点と、Ｙ軸と第１側縁の交点を結ぶ折返し用折曲線を形成しており、該折返し用折曲線を折曲することにより襠壁を折返し状態で底壁に重合するように構成されているのが好ましい。
【００１１】
本考案の好ましい実施形態において、前記固着手段は、収納ボックスを形成した状態で相互に隣接する一対の第１側壁を外側から着脱自在に連結する帯片により構成され、前記帯片は、底壁の底面に延長される舌片を備え、該舌片と底壁を着脱自在に固着するように構成されている。
【考案の効果】
【００１２】
本考案によれば、マット状のシート１を展開状態から折畳むことにより収納ボックス１ａを形成し、反対に、ボックス１ａを展開することによりマット状のシート１を形成することができ、しかも、折畳み作業と展開作業を簡単容易に行うことができるボックス兼用シートが提供される。
【００１３】
特に、折畳み形成された収納ボックス１ａは、底壁６の上に襠壁８を折返し重合され、これにより底壁６を補強しているので、１枚の薄いマット状のシート１により形成した構成でありながら、底壁６の強度が高く、収納物が相当の重量物であっても、底抜け等の危険を生じることはない。
【００１４】
そして、請求項２に記載の本考案によれば、第１折曲線４と第２折曲線５の交点と、Ｙ軸と第１側縁３の交点を結ぶ折返し用折曲線９を形成するという簡単な構成により、上記のような襠壁８による底壁６の高い補強構造が達成される。即ち、収納ボックス１ａの底部は、底壁６と、襠壁８の折返し重合部分による合計３層構造に形成され、これにより高い強度の底部構造を提供する。
【００１５】
更に、請求項３に記載の本考案によれば、相互に隣接する第１側壁７、７を帯片１３により連結固着する構成であるから、収納ボックス１ａに収納した収納物により第１側壁７が外向きの押出力を受ける場合でも、第１側壁７、７を相互に分離しないように強固に連結固着することができ、しかも、帯片１３から延長した舌片１３ａを底壁６の底面に固着しているので、第１側壁７、７を底壁６に対して強固に固着し、上記の押出力に対して十分に耐え、ボックス形態を保形できる。
【図面の簡単な説明】
【００１６】
【図１】本考案の１実施形態を示しており、（Ａ）はシートを折畳むことにより形成したボックスの斜視図、（Ｂ）は展開したシートの斜視図である。
【図２】展開状態のシートの外側面を示す平面図である。
【図３】展開状態のシートの外側面を示しており、（Ａ）は斜視図、（Ｂ）は平面図である。
【図４】展開状態のシートの内側面を示しており、（Ａ）は斜視図、（Ｂ）は平面図である。
【図５】シートの第１折曲線を折曲した状態を示しており、（Ａ）は斜視図、（Ｂ）は平面図である。
【図６】シートの第１折曲線を折曲した状態から第２折曲線を折曲する方法を説明する斜視図である。
【図７】第２折曲線を折曲すると共に襠壁を折返した状態を示す斜視図である。
【図８】シートの折畳みにより形成したボックスを示し、（Ａ）はボックスの斜視図、（Ｂ）は帯片の舌片を底壁に係止すると共にボックスの開口部を蓋材により施蓋した状態を示す斜視図である。
【考案を実施するための形態】
【００１７】
以下図面に基づいて本考案の好ましい実施形態を詳述する。
【００１８】
図１は、本考案の１実施形態に係るボックス兼用シートを示しており、図１（Ａ）に示す収納ボックス１ａは、図１（Ｂ）に示すシート１を折畳むことにより形成される。図示省略しているが、シート１は、ビニールシート等の耐水性や耐蝕性に優れた２枚の合成樹脂シートの間に芯板をサンドイッチ状に内装した保形性を有する薄いマットを構成し、後述する折曲線は、芯板に折曲自在な溝を形成し、又は、折曲自在に分断することにより形成することができる。
【００１９】
図２及び図３は、シート１の外側面を示しており、図４は、シート１の内側面を示している。
【００２０】
図２に示すように、シート１は、展開状態において、該シートの中央で直交するＸ軸とＹ軸に関して、前記Ｘ軸と平行な一対の第１側縁２、２と、前記Ｙ軸と平行な一対の第２側縁３、３を有する矩形状に形成されている。
【００２１】
前記Ｘ軸の両側には、該Ｘ軸と平行してシート１を横断する一対の第１折曲線４、４が設けられ、前記Ｙ軸の両側には、該Ｙ軸と平行してシート１を横断する一対の第２折曲線５、５が設けられている。これにより、シート１は、前記一対の第１折曲線４、４と一対の第２折曲線５、５により囲まれた中央領域により、底壁６を構成している。
【００２２】
また、シート１は、前記第１折曲線４、４と第１側縁２、２の間に位置する各領域により、一対の第１側壁７、７と、該第１側壁７、７の間に位置する襠壁８を構成している。従って、第１側壁７、７は、第１側縁２及び第２側縁３と第１折曲線４及び第２折曲線５により囲まれたシートのコーナ部分に形成されており、襠壁８は、Ｘ軸方向に配置された一対の第１側壁７、７間に形成されている。その結果、シート１の第１側縁２、２に臨む一対の襠壁８、８がＹ軸上に配置される。
【００２３】
前記襠壁８には一対の折返し用折曲線９、９が設けられている。この折曲線９、９は、Ｙ軸の両側に位置して、第１折曲線４と第２折曲線５の交点と、Ｙ軸と第１側縁２の交点を結ぶように配置されている。
【００２４】
更に、シート１は、第２折曲線５、５と第２側縁３、３の間に位置する各領域により、Ｙ軸方向に配置される一対の第１側壁７、７の間に位置する第２側壁１０を構成している。その結果、シート１の第２側縁３、３に臨む一対の第２側壁１０、１０がＸ軸上に配置される。
【００２５】
シート１の外側面の所定個所には所定の面ファスナーが設けられている。シート１の各コーナ部分により形成された第１側壁７には、第１側縁２に沿って延びる側壁用面ファスナー１１が設けられ、底壁６には、Ｙ軸上で襠壁８に臨んで位置する底壁用面ファスナー１２が設けられている。
【００２６】
シート１とは別体の帯片１３が用意され、該帯片１３の内側面に、前記側壁用面ファスナー１１に係脱自在に係止可能な一対の連結用面ファスナー１４、１４を平行に設け、該帯片１３の舌片１３ａの内側面に前記底壁用面ファスナー１２に係脱自在に係止可能な固定用面ファスナー１５を設けている。
【００２７】
図示実施形態の場合、図３に示すように、シート１の外側面には、Ｘ軸と平行に延びる一対の帯生地材１６、１６が設けられている。該帯生地材１６、１６は、第２側縁３、３を超えて延出する両端部によりループ状に連結された提手１６ａを構成する。この際、帯生地材１６、１６は、第２側縁３、３からやや内方の位置で逢着部１７を介して第２側壁１０、１０に固着され、逢着部１７、１７の間に位置して第２側壁１０、１０に蓋用面ファスナー１８を設けている。
【００２８】
上記のように構成されたシート１は、展開状態でマット状のシートを構成し、レジャーシートや、プレイマットシート等の敷物として使用される。この際、図３（Ｂ）に示すように、帯片１３は、四隅の側壁用面ファスナー１１に係止することによりシート１に付設されており、該帯片１３の紛失を防止する。図示のように、帯片１３は、第１側縁２に覆いかぶさるように配置され、平行する連結用面ファスナー１４、１４のうち一方を側壁用面ファスナー１１に係着し、他方を第１側縁２の外方に位置させることにより、後述するようにシート１の折畳みにより収納ボックス１ａを形成する際、該帯片１３の付替え等を必要とせず、ボックス形成作業を容易とする。
【００２９】
以下、シート１の折畳みにより収納ボックス１ａを形成する手順の１例を説明する。先ず、図４に示すように、シート１の内側面を上向き姿勢とした状態で、図５に示すように、第１折曲線４、４を谷折方向に折曲すると、第１側縁３に沿う第１側壁７、７及び襠壁８が底壁６及び第２側壁５、５の上に重ね合わせられる。
【００３０】
この状態から、図６及び図７に示すように、第２折曲線５を折曲することにより第１側壁７と第２側壁１０を起立させる。第２側壁１０は、底壁６と第２側壁１０の間で第２折曲線５を谷折することにより起立させられる。第１側壁７は、襠壁８と第１側壁７の間で第２折曲線５を山折すると共に、折返し用折曲線９を谷折することにより襠壁８を折返し重合させることにより起立させられる。
【００３１】
上記のような第２側壁１０と第１側壁７の起立作業をＹ軸の両側で同様に行うと、Ｘ軸方向に配置された対向する一対の第１側壁７、７が隣接して突き合わされ、該第１側壁７、７に沿う第１側縁２を平行に隣接させる。そこで、図８（Ａ）に示すように、帯片１３の一対の連結用面ファスナー１４、１４をそれぞれの第１側壁７の側壁用面ファスナー１１に係着することにより、隣接する一対の第１側壁７、７が連結固着され、これにより、収納ボックス１ａが形成される。
【００３２】
この際、帯片１３は、予め一方の第１側壁７に係着されているので、該帯片１３の遊んでいる連結用面ファスナー１４を他方の第１側壁７の側壁用面ファスナー１１に係着させるだけで良く、連結作業を容易とする。
【００３３】
この状態で、帯片１３の舌片１３ａは、下方に延長されているので、図８（Ｂ）に示すように、該舌片１３ａを底壁６の底面に向けて折曲することにより、固定用面ファスナー１５を底壁用面ファスナー１２に係着すれば、該帯片１３を介して第１側壁７、７が底壁６に連結固着される。
【００３４】
図８（Ｂ）に示すように、シート１と別体の蓋体１９を提供することにより、折畳み形成した収納ボックス１ａの上部開口を開閉自在に閉蓋することが好ましい。蓋体１９は、収納ボックス１ａの開口縁に外嵌される皿状壁１９ａを備え、該皿状壁１９ａから垂設された垂下片２０を備えており、該垂下片２０に設けた施蓋用面ファスナー２０ａを蓋用面ファスナー１８に着脱自在に係着する。
【００３５】
図７において理解可能なように、収納ボックス１ａは、底壁６の上に襠壁８を折返し重合され、これにより底壁６が補強されたものとなる。従って、１枚の薄いマット状シートに形成されているが、底壁６の強度が高く、収納物が相当の重量物であっても、底抜け等の危険を生じることはない。
【００３６】
また、収納ボックス１ａに多数の収納物を収納したとき、第１側壁７が外方に向けて押出力を受けるが、隣接する第１側壁７、７を相互に帯片１３により連結固着し、更に、該帯片１３の舌片１３ａを介して、第１側壁７、７を底壁６に連結固着しているので、このような押出力に耐えることができ、ボックス形態を保形する。
【００３７】
収納ボックス１ａを展開することにより元のシート形態にするためには、上記と反対に、舌片１３ａの固定用面ファスナー１５を底壁用面ファスナー１２から引き離し、帯片１３の一方の連結用面ファスナー１４を一方の第１側壁７の側壁用面ファスナー１１から引き離した後、底壁６の周囲に第１側壁７、襠壁８、第２側壁１０を展開させれば良く、このような展開作業も極めて簡単容易に行うことができる。
【符号の説明】
【００３８】
１  シート
１ａ  収納ボックス
２  第１側縁
３  第２側縁
４  第１折曲線
５  第２折曲線
６  底壁
７  第１側壁
８  襠壁
９  折返し用折曲線
１０  第２側壁
１１  側壁用面ファスナー
１２  底壁用面ファスナー
１３  帯片
１４  連結用面ファスナー
１５  固定用面ファスナー
【図１】
0003170420.tif 000003
【図２】
0003170420.tif 000004
【図３】
0003170420.tif 000005
【図４】
0003170420.tif 000006
【図５】
0003170420.tif 000007
【図６】
0003170420.tif 000008
【図７】
0003170420.tif 000009
【図８】
0003170420.tif 000010